(57)【要約】【課題】  ＬＣＤやＤＬＰ等の単光源を用いた背面投射型表示装置のスクリーン上に表示される二重像を低減させることができる、単光源対応の透過型スクリーン用フレネルレンズシート、及び透過型スクリーンを提供する。【解決手段】  基材シート１１と、基材シート１１上に設けられたフレネルレンズ部１２とを有する単光源対応の透過型スクリーン用フレネルレンズシート１０において、フレネルレンズシート１０のフレネル中心部１４でのヘイズ値Ｈ（％）と厚さＴ（ｍｍ）との関係が下記式を満たすように構成する。    Ｈ  ≧  ３．１５Ｔ３−２３．６Ｔ２＋６３．８Ｔ−２０．５    …１【選択図】    図１
2006146103.tif 000002
【特許請求の範囲】
【請求項１】
基材シートと、該基材シート上に設けられたフレネルレンズ部とを有する単光源対応の透過型スクリーン用フレネルレンズシートにおいて、前記フレネルレンズシートのフレネル中心部でのヘイズ値Ｈ（％）と厚さＴ（ｍｍ）との関係が、下記式１を満たすことを特徴とするフレネルレンズシート。
【数１】
2006146103.tif 000006
【請求項２】
前記式１の関係を満たすヘイズ値Ｈ（％）が、前記基材シートに含まれる拡散剤、前記フレネルレンズ部の表面に形成される凹凸形状、及び、前記フレネルレンズ部形成面の反対面に形成される凹凸形状のいずれか１以上の手段により得られることを特徴とする請求項１に記載のフレネルレンズシート。
【請求項３】
単光源からの光を略平行光に偏向するフレネルレンズシートと、偏向された略平行光を拡散させて視野角を調整する光拡散シートとを有する単光源対応の透過型スクリーンにおいて、
前記フレネルレンズシートが、基材シートと該基材シート上に設けられたフレネルレンズ部とを有し、該フレネルレンズシートのフレネル中心部でのヘイズ値Ｈ（％）と厚さＴ（ｍｍ）との関係が、下記式１を満たすことを特徴とする透過型スクリーン。
【数２】
2006146103.tif 000007
【発明の詳細な説明】
【技術分野】
【０００１】
本発明は、フレネルレンズシート及び透過型スクリーンに関し、更に詳しくは、ＬＣＤやＤＬＰ等の光源を備えたプロジェクションテレビジョン用の透過型スクリーンに好ましく用いられるフレネルレンズシートに関するものである。
【背景技術】
【０００２】
背面投射型表示装置であるプロジェクションテレビジョンには、光源から発せられた映像光を投影する透過型スクリーンが備えられている。この透過型スクリーンは、一般に、光源から投射される映像光を観察者側へ平行光又は略平行光に偏向させるためのフレネルレンズシートと、その平行光又は略平行光を拡散させて画像の視野角を広くするためのレンチキュラーレンズシートとを有している。また、光源については、従来、三原色が別々の管から投射される３管方式のＣＲＴ光源が一般的であったが、近年のデジタル化、高精細化、コンパクト化の要求につれ、ＬＣＤ(Liquid Crystal Display)やＤＬＰ(Digital Light Processing)を用いた単管方式の光源（以下、本願では「単光源」という。）が使用されてきている。
【０００３】
ＬＣＤやＤＬＰ等の単光源を用いた背面投射型表示装置では、単光源の特徴である画素表示により静止画や文字表示が鮮明になるという利点がある反面、フレネルレンズ部で発生した迷光により形成されるゴースト像も比較的鮮明に表示されてしまうという難点がある。その結果、透過型スクリーン上に表示される画像が二重像として観察されるという問題がある。
【０００４】
図９は二重像の発生メカニズムを示す図である。図９に示すフレネルレンズシート９０において、光源からの映像光９１の一部がフレネルレンズ９２で反射し、その反射した迷光９３が光源側の平担面９４で再度反射し、その反射光９５が観察者側に出射する。その反射光９５は、正規の光路を経た出射光９６により表示される画像のゴースト像を形成し、透過型スクリーン上に表示される画像が二重像として観察されることになる。
【０００５】
従来、こうした二重象を低減させるための手段としては、フレネルレンズシートの厚さをできるだけ薄くして、正規の画像を形成する光とゴースト像を形成する光の光路差を小さくする方法や、フレネルレンズシートに拡散剤を含有させて二重像をぼかす方法等が提案されている。これらのうち、フレネルレンズシートに拡散剤を含有させて二重像をぼかす方法においては、拡散剤による光の拡散度合いをヘイズ値（「曇り度」とも言われている。）で特定する方法が提案されている。なお、下記の特許文献１には、図９に示す二重像の発生メカニズムとは異なるメカニズムで発生する二重像を低減させる方法として、フレネルレンズシートのヘイズ値の範囲を規定する方法が記載されている。
【特許文献１】特開２００３−２１５７１６号公報
【発明の開示】
【発明が解決しようとする課題】
【０００６】
ＬＣＤやＤＬＰ等の単光源を用いた高精細の背面投射型表示装置において、二重像を低減させるための技術要素であるフレネルレンズシートの厚さとヘイズ値との関係は明らかになっていない。
【０００７】
本発明の目的は、ＬＣＤやＤＬＰ等の単光源を用いた背面投射型表示装置のスクリーン上に表示される二重像を低減させることができる、単光源対応の透過型スクリーン用フレネルレンズシート、及び透過型スクリーンを提供することにある。
【課題を解決するための手段】
【０００８】
本発明者は、二重像を低減させるためにフレネルレンズシートの厚さとヘイズ値との関係について詳細に検討したところ、両者の間に二重像を低減できる一定の関係があることを見出し、本出願をするに至った。すなわち、本発明のフレネルレンズシートは、基材シートと、該基材シート上に設けられたフレネルレンズ部とを有する単光源対応の透過型スクリーン用フレネルレンズシートにおいて、前記フレネルレンズシートのフレネル中心部でのヘイズ値Ｈ（％）と厚さＴ（ｍｍ）との関係が、下記式１を満たすことを特徴とする。
【０００９】
【数１】
2006146103.tif 000003
【００１０】
この発明によれば、フレネルレンズシートのヘイズ値と厚さを上記関係を満たすように構成することにより、フレネルレンズシートを透過型スクリーンに適用した場合に生じる二重像の問題を解消することができる。すなわち、フレネルレンズシートが薄い場合には、フレネルレンズシート内での反射により生じる迷光と正規の映像光との光路差が小さいので、上記式１の関係を満たすヘイズ値の範囲内であればそのヘイズ値をあまり大きくする必要がない。一方、フレネルレンズシートが厚い場合であっても、ヘイズ値を上記式１の関係を満たすように大きくすることにより、二重像の原因となる迷光を減衰させることができる。
【００１１】
本発明のフレネルレンズシートにおいて、前記式１の関係を満たすヘイズ値Ｈ（％）が、前記基材シートに含まれる拡散剤、前記フレネルレンズ部の表面に形成される凹凸形状、及び、前記フレネルレンズ部形成面の反対面に形成される凹凸形状のいずれか１以上の手段により得られることを特徴とする。上記式１の関係を満たすヘイズ値Ｈ（％）は各種の方法で実現可能であるが、この発明によれば、上述した３種類の手段を適用することが好ましい。
【００１２】
上記目的を達成するための本発明の透過型スクリーンは、単光源からの光を略平行光に偏向するフレネルレンズシートと、偏向された略平行光を拡散させて視野角を調整する光拡散シートとを有する単光源対応の透過型スクリーンにおいて、前記フレネルレンズシートが、基材シートと該基材シート上に設けられたフレネルレンズ部とを有し、該フレネルレンズシートのフレネル中心部でのヘイズ値Ｈ（％）と厚さＴ（ｍｍ）との関係が上記式１を満たすことを特徴とする。
【００１３】
この発明によれば、上述した本発明のフレネルレンズシートと視野角調整用の光拡散シートとを有するので、透過型スクリーンの二重像の問題を解消することができる。
【発明の効果】
【００１４】
以上説明したように、本発明のフレネルレンズシート及び透過型スクリーンによれば、二重像を低減させるための技術要素であるフレネルレンズシートの厚さとヘイズ値との関係を明らかにし、フレネルレンズシートを透過型スクリーンに適用した場合に生じる二重像の問題を解消することができた。こうした関係を満たすフレネルレンズシート及び透過型スクリーンは、特にＬＣＤやＤＬＰ等の単光源を用いた背面投射型表示装置のように、ゴースト像をも比較的鮮明に表示してしまう背面投射型表示装置において特に好ましく使用できる。
【発明を実施するための最良の形態】
【００１５】
本発明のフレネルレンズシート及び透過型スクリーンについて、図面を参照しつつ説明する。
【００１６】
（フレネルレンズシート）
図１は、本発明のフレネルレンズシートの一例を示す模式的な斜視図である。本発明のフレネルレンズシート１０は、基材シート１１と、その基材シート１１上に設けられたフレネルレンズ部１２とを有するフレネルレンズシートである。フレネルレンズシート１０は、使用に際し、光源から投射される映像光を略平行光に屈折透過させるためのレンズシートである。以下、本発明のフレネルレンズシートの構成について順に説明する。
【００１７】
基材シート１１は、フレネルレンズ部１２の基材となる平面状の透明シートである。基材シート１１の厚さ方向の一方の面には放射線硬化型樹脂からなるフレネルレンズ部１２が形成されるので、基材シート１１は、フレネルレンズ部１２が形成されない側の平坦面１３から照射される放射線（例えば光、紫外線、電子線等）を透過できるものであることが望ましい。なお、平担面１３は、基材シート１１の厚さ方向の他方の面である。
【００１８】
基材シート１１の構成材料としては、アクリル樹脂、スチレン樹脂、ポリエステル樹脂、ポリカーボネート樹脂、アクリル−スチレン共重合体樹脂等からなる透明樹脂を挙げることができる。基材シート１１は、これらの樹脂を押出成形、プレス成形、射出成形、キャスティング成形等することにより作製される。基材シート１１の厚さｔは、通常０．１〜５ｍｍの範囲内であり、上記の構成材料の種類及び放射線透過率等を考慮して設定される。
【００１９】
フレネルレンズ部１２は、光源からの光を略平行光に偏向させるための多数のプリズムで構成されたサーキュラーフレネルレンズの形成部である。このフレネルレンズ部１２は、フレネル中心Ｐを面内に有する態様で、基材シート１１の厚さ方向の一方の面に形成されている。フレネルレンズ部１２は放射線硬化型樹脂で形成され、その具体例としては、Ｎ−ビニルピロリドン系樹脂、ウレタン系樹脂、ポリエステル系樹脂、アクリレート系樹脂等が挙げられる。
【００２０】
フレネルレンズシート１０は、光源からの入射光を精度よく偏向させるために、賦形型と放射線硬化型樹脂を用いて製造される。具体的には、フレネルレンズ部１２のプリズムの反転形状が形成された賦形型を準備し、その賦形型に上述した放射線硬化型樹脂を塗布した後、その上に基材シート１１を載せ、さらにその上方から放射線（例えば紫外線）を照射して前記の放射線硬化型樹脂を硬化させ、その後、その成形型から離型することにより製造されている。
【００２１】
本発明は、こうしたフレネルレンズシート１０において、フレネル中心部１４でのヘイズ値Ｈ（％）と厚さＴ（ｍｍ）との関係が下記の式１を満たすことに特徴がある。図２は、式１の関係を表したグラフである。
【００２２】
【数２】
2006146103.tif 000004
【００２３】
式１中のヘイズ値Ｈ（％）は、フレネルレンズシート１０のフレネル中心部１４をＪＩＳ−Ｚ−７２３６に従って測定した値で表される。具体的には、図３に示すように、フレネルレンズシート１０のフレネル中心部１４を６０ｍｍ角に切り出した試験片１５を準備し、この試験片１５をヘイズ値測定装置（例えば、実施例で示すような村上色彩社製のＨＲ−１００など）で測定して得られた値（％）で表される。一方、式１中の厚さＴ（ｍｍ）は、フレネルレンズシート１０のフレネル中心部１４の厚さであり、具体的には、上記同様の試験片１５の厚さを測定した値である。
【００２４】
ヘイズ値Ｈ（％）の上限は特に限定されない。しかし、ヘイズ値Ｈがあまり大きい値である場合にはフレネルレンズシートの透過率が小さくなってしまうので、ヘイズ値Ｈ（％）の上限は通常７５％程度であり、６０％であることが好ましい。
【００２５】
フレネルレンズシート１０のフレネル中心部１４での厚さＴは、式１を満たす範囲内で任意に設定されるが、上記の好ましいヘイズ値Ｈの上限を超えない範囲内で任意に設定することができる。なお、基材シート１１は上記のように通常０．１〜５ｍｍの範囲内であり、その基材シート１１上のフレネルレンズ部１２の厚さは、フレネル中心部１４において通常０．０１〜０．１ｍｍ程度である。
【００２６】
次に、こうした関係を有するフレネルレンズシートの作製方法について説明する。図４は、ヘイズ値が調整されたフレネルレンズシートの３つの例を示す模式断面図である。
【００２７】
前記式１の関係を満たすフレネルレンズシートにおいて、そのヘイズ値Ｈ（％）については各種の手段で調整することができる。ヘイズ値Ｈの調整手段としては、基材シート１１に拡散剤１６を含有させる手段（図４（Ａ）を参照）、フレネルレンズ部１２の表面に凹凸形状１７を形成する手段（図４（Ｂ）を参照）、及び、フレネルレンズ部形成面の反対面（平坦面１３）に凹凸形状１８を形成する手段（図４（Ｃ）を参照）、等のいずれか１以上の手段を挙げることができる。
【００２８】
先ず、図４（Ａ）に示すように、基材シート１１に拡散剤１６を含有させる手段について説明する。拡散剤１６としては、一般的に光学シートに用いられる光拡散剤であればよく、スチレン樹脂微粒子、シリコーン樹脂微粒子、アクリル樹脂微粒子、ＭＳ樹脂（メタクリル−スチレン共重合樹脂）微粒子等の有機系微粒子、硫酸バリウム微粒子、ガラス微粒子、水酸化アルミニウム微粒子、炭酸カルシウム微粒子、シリカ（二酸化珪素）微粒子、酸化チタン微粒子、ガラスビーズ等の無機系微粒子等が挙げられ、これらの１種又は２種以上を樹脂中に含有させることができる。
【００２９】
基材シート１１への拡散剤１６の含有量は、フレネルレンズシートを作製した後におけるフレネル中心部１４のヘイズ値Ｈが所望の値になるように調整される。拡散剤１６の含有量が同量であっても拡散剤１６の種類によってヘイズ値Ｈが異なるので、実際には拡散剤１６の種類に応じた含有量が所望のヘイズ値Ｈに応じて適宜設定される。拡散剤１６を含有する基材シート１１は、拡散剤１６が練り込まれた樹脂材料で成形することにより得ることができる。基材シート１１の成形方法は上述した通りであるので、ここではその説明を省略する。
【００３０】
次に、図４（Ｂ）に示すように、フレネルレンズ部１２の表面に凹凸形状１７を形成する手段について説明する。この手段としては、例えば、フレネルレンズ部１２の成形型の表面に所望の凹凸形状１７の反転形状を賦形し、その成形型に放射線硬化型樹脂を流し、その樹脂上に基材シート１１を載せた後に放射線照射して樹脂を硬化させ、硬化後のフレネルレンズシートを成形型から離型する方法を挙げることができる。成形型の表面に所望の凹凸形状１７の反転形状を形成する方法としては、ブラスト加工等の方法を適用できる。この手段によるヘイズ値Ｈの調整は、例えば成形型の表面へのブラスト加工条件等により調整できる。なお、成形型の表面に凹凸形状１７の反転形状を形成する手段については、ブラスト加工以外の方法であっても構わない。
【００３１】
次に、図４（Ｃ）に示すように、フレネルレンズ部形成面の反対面（平坦面１３）に凹凸形状１８を形成する手段について説明する。この手段としては、基材シート１１の厚さ方向の面のうち、フレネルレンズ部１２が形成されない側の面（平坦面１３）をいわゆるマット処理する方法を挙げることができる。具体的には、凹凸形状１８の反転形状が形成された型ロールを用いて基材シート１１を作製する方法を挙げることができる。型ロールの表面に所望の凹凸形状１８の反転形状を形成する方法としては、ブラスト加工等の方法を適用できる。この手段によるヘイズ値Ｈの調整は、例えば型ロールの表面へのブラスト加工条件等により調整できる。なお、型ロールの表面に凹凸形状１８の反転形状を形成する手段については、ブラスト加工以外の方法であっても構わない。
【００３２】
こうした各種の手段により上記式１を満たす本発明のフレネルレンズシートを得ることができるが、本発明のフレネルレンズシートは、図４（Ａ）〜（Ｃ）に示す各手段をそれぞれ単独で適用してもよいし、複数の手段を適用してもよい。さらに、上記以外の手段であってもよい。例えば、フレネルレンズ部１２に拡散剤を含有させたものであってもよい。
【００３３】
図５は、本発明のフレネルレンズシートの効果の説明図であり、ヘイズ値の調整手段として基材シートに拡散剤を含有させたもので説明する。得られたフレネルレンズシート１０は、透過型スクリーンに適用する場合に生じる二重像の問題を解消することができる。すなわち、図５（Ａ）に示すように、フレネルレンズシート１０が薄い場合には、入射光５１がフレネルレンズシート内で反射した後の出射する反射光５２と、入射光５１がフレネルレンズシート内を透過する正規の映像光５３との光路差が小さいので、上記式１の関係を満たすヘイズ値であればそのヘイズ値をあまり大きくする必要がない。一方、図５（Ｂ）に示すように、フレネルレンズシート１０が厚い場合であっても、ヘイズ値を上記式１の関係を満たすように大きくすることにより、二重像の原因となる迷光を減衰させて出射する反射光５２の光量を低下させることができる。
【００３４】
（透過型スクリーン）
図６は、本発明の透過型スクリーンの一例を示す模式的な断面図である。本発明の透過型スクリーン６０は、単光源からの光を略平行光に偏向する上記本発明のフレネルレンズシート１０と、偏向された略平行光を拡散させて視野角を調整する光拡散シート２０とを有するものである。本発明においては、フレネルレンズシート１０が上述した関係式を満たすので、単光源対応の透過型スクリーンとして特に好ましく用いられる。
【００３５】
本発明の透過型スクリーン６０を構成する光拡散シート２０は、フレネルレンズシート１０によって偏向された略平行光を拡散させて視野角を調整する機能を有するものであれば、各種のものを適用できる。図７は、本発明の透過型スクリーンを構成する光拡散シートの例を示す模式的な斜視図である。例えば、シリンドリカルレンズ２４を片面に有するレンチキュラーレンズシート２１（図７（Ａ）を参照）、シリンドリカルレンズ２４、２４’を両面に有するレンチキュラーレンズシート２２（図７（Ｂ）を参照）、片面に略Ｖ字形状の多数の溝２５を有し且つその溝２５内に光吸収性粒子を含有した樹脂からなる低屈折率部２６が充填されてなるレンチキュラーレンズシート２３（図７（Ｃ）を参照）等を任意に組み合わせることができる。
【００３６】
より詳しくは、図７（Ａ）に示すレンチキュラーレンズシート２１は、入光面となる側の面には垂直方向Ｙに延びる多数のシリンドリカルレンズ２４が一定のピッチで並設され、出光面となる側の面には光遮光部としてのＢＳ（ブラックストライプ）パターン２７が光路以外の部位に一定のピッチで形成されている。なお、図７（Ａ）においては図示しないが、この態様のレンチキュラーレンズシート２１は一般に薄いので、さらにその出光面となる側の面には、接着剤層を介して支持板が貼り合わされる。このときの接着剤層は、例えばアクリル系接着剤等で形成できる。また、支持板は、レンチキュラーレンズ要素のたわみを防いで結像した画像のゆがみを防ぐことができる剛性を有し、例えば光透過性の透明又は半透明のシート状部材であり、アクリル系樹脂、ポリカーボネート系樹脂、塩化ビニル系樹脂、スチレン系樹脂、セルロース系樹脂、シクロオレフィン系樹脂等の熱可塑性樹脂等の樹脂材料で形成される。
【００３７】
また、図７（Ｂ）に示すレンチキュラーレンズシート２２は、その両面には垂直方向Ｙに延びる多数のシリンドリカルレンズ２４、２４’が一定のピッチで並設され、出光面となる側の面には隣り合うシリンドリカルレンズ２４’、２４’間に光遮光部としてのＢＳ（ブラックストライプ）パターン２７が形成されている。なお、このタイプのレンチキュラーレンズシート２２は、図７（Ａ）のレンチキュラーレンズシート２１に比べて一般的に厚いので、通常そのまま用いられるが、必要に応じてさらにその出光面となる側の面に、上記の場合と同様に、接着剤層を介して支持板を貼り合わせてもよい。
【００３８】
また、図７（Ｃ）に示すレンチキュラーレンズシート２３は、出光面となる側の面に略Ｖ字形状の多数の溝２５を有し且つその溝２５内に光吸収性粒子を含有した樹脂からなる低屈折率部２６が充填されている。なお、図７（Ｃ）においては図示しないが、この態様のレンチキュラーレンズシート２３は一般に薄いので、さらにその出光面となる側の面には、接着剤層を介して支持板が貼り合わされる。このレンチキュラーレンズシート２３において、溝２５以外の部分は高屈折率部２８であり、溝２５を形成する斜面は低屈折率部２６と高屈折率部２８の界面となる。その斜面は第１斜面３１と第２斜面３２とで構成され、それらの斜面３１，３２は、フレネルレンズ部で偏向された略平行光を全反射面（第１斜面３１と第２斜面３２）で方向付けして出射させる所謂ライトガイドとして機能する。また、光吸収性樹脂を含有する低屈折率部２６は、透過型スクリーン内の迷光を吸収すると共に外光を吸収してコントラストを向上させるように作用する。
【００３９】
これらの各レンチキュラーレンズシートは、通常、熱可塑性樹脂の押出成形、又は紫外線硬化型樹脂による成形等により形成される。例えば、周面にシリンドリカルレンズの反転形状からなる賦形型を有する押出成形ロールを用いることにより形成することができる。レンチキュラーレンズシートには拡散剤を含有させることができ、その拡散剤としては、上記のフレネルレンズシートで挙げた各種のものから選択して使用することができる。拡散剤を含有するレンチキュラーレンズシートは、視野角を垂直方向にも広げたり、単光源で顕著に観察されるギラツキ（シンチレーション）を低減させる等の作用を奏することになるので好ましい。
【００４０】
レンチキュラーレンズシートの出光面側には、各種の機能層を設けることができる。通常、レンチキュラーレンズシートの出光面側に接着剤を介して貼り合わされる支持板の外表面に設けられる。そうした機能層としては、例えば、反射防止層、低反射層、ハードコート層、帯電防止層、防眩層、汚染防止層、偏光フィルタ層、及び電磁波シールド層等を、その目的に応じて設けることができる。
【００４１】
本発明の透過型スクリーンを構成する光拡散シートは、上述の各レンチキュラーレンズシートが好ましく適用されるが、上記以外の構成からなる光拡散機能を有するシートであってもよい。
【００４２】
（背面投射型表示装置）
図８は、本発明の透過型スクリーンを装着してなる背面投射型表示装置の一例を示す概略図である。背面投射型表示装置８０は、本発明の透過型スクリーン８１を前面側の窓部に備えたものであり、比較的薄型の筐体８２の底部に光源８３が配置され、筐体８２の後部壁内面には光源８３からの映像光８５を透過型スクリーン８１に向かって反射させるミラー８４が配置されている。
【００４３】
このときの光源８３は、ＬＣＤ(Liquid Crystal Display)やＤＬＰ(Digital Light Processing)を用いた単管方式の単光源であることが好ましい。本発明の透過型スクリーン８１は、二重像の問題を解消することができる本発明のフレネルレンズシートを備えるので、特にＬＣＤやＤＬＰ等の単光源を用いた背面投射型表示装置のように、ゴースト像をも比較的鮮明に表示してしまう背面投射型表示装置において特に好ましく使用できる。
【実施例】
【００４４】
以下に実施例と比較例を挙げて本発明を具体的に説明する。
【００４５】
（実施例１）
図１０に示す構造からなる透過型スクリーン１００を作製した。透過型スクリーン１００は、下記のようにして作製したフレネルレンズシート１０１とレンチキュラーレンズシート１０２とで構成し、ＬＣＤ光源式の背面投射型表示装置の観察者側の窓部に装着した（図８を参照）。この背面投射型表示装置は、画面サイズ５０インチ（アスペクト比４：３、縦７６２ｍｍ×横１０６２ｍｍ）、透過型スクリーンから光源までの水平換算距離６５０ｍｍからなるものである。
【００４６】
フレネルレンズシートの作製；フレネルレンズシート１０１は、フレネル中心部をシート面内に有するサーキュラーフレネルレンズ（ピッチ０．０８７ｍｍ）の反転形状が形成された賦形型を準備し、その賦形型に紫外線硬化型樹脂であるウレタンアクリレート系樹脂をキャストした。その後、紫外線硬化型樹脂上に、拡散剤１１３を含有させたメタクリルスチレン系共重合体樹脂からなる厚さ０．７５ｍｍの基材シート１１１を載せ、更にその後、基材シート１１１の上方から紫外線を照射して前記の紫外線硬化型樹脂を硬化することによって、フレネルレンズ部１１２を形成し、フレネルレンズシート１０１を作製した。
【００４７】
なお、この実施例１で用いた基材シート１１１は、耐衝撃特性を有するメタクリルスチレン系樹脂（住友化学社製、商品名：ＨＷ、屈折率：１．５３）中に、拡散剤１１３であるアクリルビーズ（積水化成社製、商品名：ＭＢＸ−１２、平均粒径：１２μｍ、屈折率：１．４９）を含有させたものを押出成形して作製した。この基材シート１１１では、拡散剤１１３を前記のメタクリルスチレン系樹脂１００重量部当たり０．１２重量部となる割合で含有させものを押出材料として用いた。また、フレネル中心部でのフレネルレンズ部１１２の厚さは０．０５ｍｍであり、上記の基材シート１１１の厚さ０．７５ｍｍを加えた総厚さは０．８０ｍｍであった。
【００４８】
光拡散シートの作製；光拡散シートとして、入光面側にシリンドリカルレンズ１２１を有し、出光面側にＢＳパターンを有するレンチキュラーレンズシート１０２を作製した。このレンチキュラーレンズシート１０２は、上記の基材シート１１１と同様、レンチキュラーレンズの反転形状が形成された賦形型を準備し、その賦形型に紫外線硬化型樹脂であるウレタンアクリレート系樹脂をキャストした。その後、紫外線硬化型樹脂上に、厚さ０．１２５ｍｍのポリエチレンテレフタレート（ＰＥＴ）フィルム１２２を載せ、更にその後、ＰＥＴフィルム１２２の上方から紫外線を照射して前記の紫外線硬化型樹脂を硬化することによって、レンチキュラーレンズ１２１を形成した。このとき、シリンドリカルレンズの頂部から他方の面までの寸法をレンチキュラーレンズシートの厚さとしたとき、その厚さは０．２ｍｍであった。
【００４９】
引き続いて、レンチキュラーレンズ１２１が形成されていない側の面にアクリル系樹脂からなる感光粘着層１２２を形成した後、レンチキュラーレンズ１２１側から紫外線を照射した。その後、紫外線が照射された後の感光粘着層側の面にカーボンシートを貼り合わせた後に剥離すると、レンチキュラーレンズ１２１で集光した紫外線が透過した部分の感光粘着層は粘着効果が消失しているのでその部分にはカーボン転写層は形成されないが、レンチキュラーレンズ１２１で集光した紫外線が透過した部分以外の感光粘着層は粘着効果が維持されているのでその部分にはカーボン転写層１２４が形成される。こうして形成されたカーボン転写層１２４はＢＳパターンを形成する。さらにその後、ＢＳパターンが形成された側の面にアクリルポリマー粘着剤を塗布して接着層１２５を形成し、その上から、支持板１２６を貼り合わせた。この支持板１２６は、耐衝撃特性を有するメタクリルスチレン系樹脂（住友化学社製、商品名：ＨＷ、屈折率：１．５３）中に、拡散剤であるアクリルビーズ（積水化成社製、商品名：ＭＢＸ−１２、平均粒径：１２μｍ、屈折率：１．４９）を含有させて押出成形してなるものであり、拡散剤はメタクリルスチレン系樹脂１００重量部当たり２重量部となる割合で含有させた。こうして光拡散シートであるレンチキュラーレンズシート１０２を作製した。
【００５０】
（実施例２〜１２及び比較例１〜６）
フレネルレンズシート１０１を構成する基材シート１１１を表１に示す厚さのものに代え、さらに、その基材シート１１１に含有させた拡散剤１１３の含有量を表１に示すようにした以外は、実施例１と同様にして実施例２〜１２及び比較例１〜６の透過型スクリーンを作製した。
【００５１】
（評価）
ヘイズ値の測定；フレネルレンズシートのヘイズ値Ｈは、フレネルレンズシートのフレネル中心部を６０ｍｍ角で切り出した試験片を測定することにより得た（図３を参照）。測定は、ヘイズ値測定装置（村上色彩社製、商品名：のＨＲ−１００）を用い、ＪＩＳ−Ｋ−７２３６に従って測定した。その結果を表１に示した。
【００５２】
メイン画像からのズレ量及び鮮明度；図１１に示すように、背面投射型表示装置８０に装着させた透過型スクリーン１００に、黒のバックグラウンドに白のクロスハッチングを入れた画面を映し出し、透過型スクリーン表面から水平方向に１ｍ離れた位置で上方４５°から透過型スクリーン１００の下方側の画面を見たとき、透過型スクリーン１００の表面に映し出されるクロスハッチングの二重像を観察した。二重像は、メイン光で映し出されるクロスハッチングと、ゴースト像１３０として映し出されるクロスハッチングとからなる像であり、そのズレ量を金尺により測定した。その結果を表１に示した。さらに、映し出された二重像の鮮明度について評価した。鮮明度は、二重像がはっきり見えるか否かで評価し、二重像がはっきり見えるほど１に近づき、はっきり見えないほど１０に近づく値で相対評価した。その結果を表１に示した。なお、図１２は、二重層の光線経路図であり、（Ａ）はフレネルレンズシートが薄く、二重像のズレが顕著でない場合を示しており、（Ｂ）はフレネルレンズシートが厚く、二重像のズレが顕著な場合を示している。
【００５３】
総合評価；上記の評価結果を総合的に判断して評価し、◎、◎〜○、○、△の４段階で評価した。△以外を良品と判断した。
【００５４】
【表１】
2006146103.tif 000005
【図面の簡単な説明】
【００５５】
【図１】本発明のフレネルレンズシートの一例を示す模式的な斜視図である。
【図２】式１の関係を表したグラフである。
【図３】フレネルレンズシートのフレネル中心部から切り出したヘイズ値測定用の試験片の一例を示す模式的な斜視図である。
【図４】ヘイズ値が調整されたフレネルレンズシートの３つの例を示す模式断面図である。
【図５】本発明のフレネルレンズシートの効果の説明図である。
【図６】本発明の透過型スクリーンの一例を示す模式的な断面図である。
【図７】本発明の透過型スクリーンを構成する光拡散シートの例を示す模式的な斜視図である。
【図８】本発明の透過型スクリーンを装着してなる背面投射型表示装置の一例を示す概略図である。
【図９】二重像の発生メカニズムを示す図である。
【図１０】実施例で用いて透過型スクリーンの断面構成図である。
【図１１】透過型スクリーンの表面に映し出されるクロスハッチングの二重像の観察方法を示す模式図である。
【図１２】二重層の光線経路図であり、（Ａ）はフレネルレンズシートが薄い場合であり、（Ｂ）はフレネルレンズシートが厚い場合である。
【符号の説明】
【００５６】
１０  フレネルレンズシート
１１  基材シート
１２  フレネルレンズ部
１３  平坦面
１４  フレネル中心部
１５  フレネル中心部の厚さ
１６  拡散剤
１７，１８  凹凸形状
２０  光拡散シート
２１，２２，２３  レンチキュラーレンズシート
２４，２４’  シリンドリカルレンズ
２５  溝
２６  低屈折率部
２７  ＢＳパターン
２８  高屈折率部
３１  第１斜面
３２  第２斜面
５１  入射光
５２  反射光
５３  映像光
６０  透過型スクリーン
８０  背面投射型表示装置
８１  透過型スクリーン
８２  筐体
８３  光源
８４  ミラー
８５  映像光
１００  透過型スクリーン
１０１  フレネルレンズシート
１０２  レンチキュラーレンズシート
１１１  基材シート
１１２  フレネルレンズ部
１１３  拡散剤
１２１  レンチキュラーレンズ
１２２  ＰＥＴフィルム
１２３  感光粘着層
１２４  カーボン転写層
１２５  接着層
１２６  支持板
１３０  ゴースト像
Ｈ  ヘイズ値
Ｔ  フレネルレンズシートの厚さ
ｔ  基材シートの厚さ
Ｐ  フレネル中心
【図１】
2006146103.tif 000008
【図２】
2006146103.tif 000009
【図３】
2006146103.tif 000010
【図４】
2006146103.tif 000011
【図５】
2006146103.tif 000012
【図６】
2006146103.tif 000013
【図７】
2006146103.tif 000014
【図８】
2006146103.tif 000015
【図９】
2006146103.tif 000016
【図１０】
2006146103.tif 000017
【図１１】
2006146103.tif 000018
【図１２】
2006146103.tif 000019